(57)【特許請求の範囲】
【請求項１】
それぞれ複数のＡＴＭ交換機を含む自網と他網とを有するシステムに於けるＡＴＭ交換機に於いて、
ＡＴＭセルに対して着側ＡＴＭ交換機を示すノードアドレスと該着側ＡＴＭ交換機が自網に属するか他網に属するかを示す網識別ビットとを含むルーティングヘッダの付加又は削除を行うルーティングヘッダ着脱部と、
前記ＡＴＭセルに付加されたルーティングヘッダを抽出する中継監視部と、
該中継監視部により抽出されたルーティングヘッダにより自ＡＴＭ交換機宛か否かを判定し、自ＡＴＭ交換機宛でない場合は、前記ルーティングヘッダを付加したＡＴＭセルを中継送出させる制御を行うコネクション管理制御部と、
発側の端末に関する情報と、着側の端末及び前記着側ＡＴＭ交換機に関する情報とを登録する自網中継情報管理テーブルと、
発側の端末に関する情報と、他網の着側の端末及び該着側の端末を収容した着側ＡＴＭ交換機に関する情報とを登録する他網中継情報管理テーブルと
を備えたことを特徴とするＡＴＭ交換機。
【請求項２】
それぞれ複数のＡＴＭ交換機を含む自網と他網とを有するシステムに於けるＡＴＭセル中継伝送方法に於いて、
ＡＴＭセルのヘッダの仮想パス識別子と仮想チャネル識別子とを基に、該ＡＴＭセルの着側ＡＴＭ交換機を識別して、該着側ＡＴＭ交換機を示すノードアドレスビット及び該着側ＡＴＭ交換機が自網に属するか他網に属するかを示す網識別ビットとを含むルーティングヘッダをＡＴＭセルに付加して中継送出し、
該ＡＴＭセルを受信したＡＴＭ交換機は、該ＡＴＭセルに付加されたルーティングヘッダにより自ＡＴＭ交換機宛か否かを識別し、自ＡＴＭ交換機宛の場合は、前記ルーティングヘッダを削除して該ＡＴＭセルを着側の端末に送出し、自ＡＴＭ交換機宛でなく且つ自網内の他のＡＴＭ交換機宛の場合は、前記ルーティングヘッダを付加したＡＴＭセルを中継送出し、前記網識別ビットにより他網のＡＴＭ交換機宛を示す場合は、該他網に対応したルーティングヘッダに書換えて中継送出する過程を含む
ことを特徴とするＡＴＭセル中継伝送方法。
【発明の詳細な説明】
【０００１】
【発明の属する技術分野】
本発明は、ＡＴＭセルを中継伝送するＡＴＭ交換機及びＡＴＭセル中継伝送方法に関する。
ＡＴＭ（Ａｓｙｎｃｈｒｏｎｏｕｓ  Ｔｒａｎｓｆｅｒ  Ｍｏｄｅ  ）方式は、５バイトのヘッダと４８バイトのユーザ情報との５３バイト構成のＡＴＭセルを伝送するものであり、この５バイトのヘッダの仮想パス識別子ＶＰＩと仮想チャネル識別子ＶＣＩとを基に、このＡＴＭセルをＡＴＭ交換機は中継伝送することになる。ＡＴＭ網が大規模になる程、多数のＡＴＭ交換機を介して中継される場合が多くなり、このような中継伝送処理を容易にすることが要望されている。
【０００２】
【従来の技術】
図１１はＡＴＭ網の説明図であり、１００−１〜１００−ｎはＡＴＭ交換機、１０１は端末、１０２は中継回線、１０３，１０６は回線ポート部、１０４はヘッダ変換部、１０５はＡＴＭスイッチである。複数のＡＴＭ交換機１００−１〜１００−ｎによりＡＴＭ網を構成した場合を示し、各ＡＴＭ交換機１００−１〜１００−ｎの回線ポート部１０３，１０６は端末１０１又は中継回線１０２を収容し、ヘッダ変換部１０４は、ＡＴＭセルのヘッダ内のＶＰＩ／ＶＣＩを基に、回線ポート部に出力するＶＰＩ／ＶＣＩへ変換する。又ＡＴＭスイッチ１０５は、ヘッダ変換部１０４に於いて変換されたＶＰＩ／ＶＣＩを基に、ＡＴＭセルのルーティングを行って回線ポート部へ出力する。
【０００３】
図１２は従来例のＡＴＭ交換機の要部説明図であり、図１１の端末１０１を収容したＡＴＭ交換機１００−１，１００−ｎに相当する要部を示し、１１０はヘッダ変換テーブル、１１１はＵＰＣ（Ｕｓａｇｅ  Ｐａｒａｍｅｔｅｒ  Ｃｏｎｔｒｏｌ；使用量パラメータ制御）部、１１２はコネクション管理制御部、１１３は障害検出部、１１４は端末回線のインタフェース部である。
【０００４】
ヘッダ変換部１０４は、ヘッダ変換テーブル１１０を参照してＡＴＭセルのヘッダを、出方路に対応したＶＰＩ／ＶＣＩに変換する。又ＵＰＣ部１１１は、端末１０１が申告した帯域を超えてＡＴＭセルを送出したか否かを監視し、超えた場合に、輻輳が発生しないように、ＡＴＭセルの廃棄を行う等の制御機能を有するものである。又障害検出部１１３は、中継回線１０２を介して伝送されたＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ；保守運用）セル等によるアラーム通知を検出し、又各部の障害情報を収集して、コネクション管理制御部１１２に通知する。このコネクション管理制御部１１２は、各部を制御して、端末１０１間のＡＴＭセルの転送制御を行うものである。
【０００５】
【発明が解決しようとする課題】
従来例のＡＴＭ交換機は、受信したＡＴＭセルのヘッダのＶＰＩ／ＶＣＩを基に、自ＡＴＭ交換機に収容された端末宛であるか、又は他のＡＴＭ交換機に収容された端末宛であるかを識別して、ルーティングを行うものである。この場合、ＵＮＩ（Ｕｓｅｒ  Ｎｅｔｗｏｒｋ  Ｉｎｔｅｒｆａｃｅ）のＶＰＩは８ビット、ＶＣＩは１６ビットであり、又ＮＮＩ（Ｎｅｔｗｏｒｋ  Ｎｏｄｅ  Ｉｎｔｅｒｆａｃｅ）のＶＰＩは１２ビット、ＶＣＩは１６ビットとなる。即ち、ＡＴＭ網内の各ＡＴＭ交換機は、合計で２４ビット又は２８ビットの情報を識別してルーティングを行うものであり、従って、各ＡＴＭ交換機の処理負担が大きく、且つ処理遅延の問題がある。
本発明は、処理負担を軽減し、中継処理時間を短縮することを目的とする。
【０００６】
【課題を解決するための手段】
本発明のＡＴＭ交換機は、図１を参照して説明すると、少なくとも中継用ＡＴＭスイッチ５を有するＡＴＭ交換機に於いて、ＡＴＭセルに対して着側ＡＴＭ交換機を示すノードアドレスビットを含むルーティングヘッダの付加又は削除を行うルーティングヘッダ着脱部１１と、ＡＴＭセルに付加されたルーティングヘッダを抽出する中継監視部１２と、この中継監視部１２により抽出されたルーティングヘッダにより自ＡＴＭ交換機宛か否かを判定し、自ＡＴＭ交換機宛でない場合は、ルーティングヘッダを付加したＡＴＭセルを中継送出させる制御を行うコネクション管理制御部１５とを備えている。又ＡＴＭセルを中継するＡＴＭ交換機は、ルーティングヘッダのノードアドレスビットのみでＡＴＭセルの伝送先を識別することができる。
【０００７】
又前述のＡＴＭ交換機に於いて、発側の端末に関する情報と、着側の端末及び前記着側ＡＴＭ交換機に関する情報とを登録する自網中継情報管理テーブル１３を備えることができる。
【０００８】
又それぞれ複数のＡＴＭ交換機を有する自網と他網とを有するシステムに於けるＡＴＭ交換機に於いて、ＡＴＭセルに対して着側ＡＴＭ交換機を示すノードアドレスビットを含むルーティングヘッダの付加又は削除を行うルーティングヘッダ着脱部１１と、ＡＴＭセルに付加されたルーティングヘッダを抽出する中継監視部１２と、この中継監視部１２により抽出されたルーティングヘッダにより自ＡＴＭ交換機宛か否かを判定し、自ＡＴＭ交換機宛でない場合は、ルーティングヘッダを付加したＡＴＭセルを中継送出させる制御を行うコネクション管理制御部１５と、発側の端末に関する情報と着側の端末及び着側ＡＴＭ交換機に関する情報とを登録する自網中継情報管理テーブル１３と、発側の端末に関する情報と他網の着側の端末及び該着側の端末を収容した着側ＡＴＭ交換機に関する情報とを登録する他網中継情報管理テーブル１４とを備え、複数種類のＡＴＭ網が存在する場合の網間に於けるＡＴＭセルの伝送の場合も、ルーティングヘッダを付加して伝送し、中継処理を簡単化することができる。
【０００９】
又前述のルーティングヘッダ着脱部１１は、自網を中継伝送するＡＴＭセルにルーティングヘッダを付加し、且つ自ＡＴＭ交換機に収容された端末へのＡＴＭセルに付加されたルーティングヘッダを削除する機能又は自網と他網との間を伝送するＡＴＭセルに対して、それぞれの網に対応するルーティングヘッダに付け替える機能を備えている。
【００１０】
又本発明のＡＴＭセル中継伝送方法は、ＡＴＭセルのヘッダの仮想パス識別子ＶＰＩと仮想チャネル識別子ＶＣＩとを基に、このＡＴＭセルの着側ＡＴＭ交換機を識別し、この着側ＡＴＭ交換機を示すノードアドレスビットを含むルーティングヘッダをＡＴＭセルに付加して中継送出し、このＡＴＭセルに付加したルーティングヘッダにより自ＡＴＭ交換機宛か否かを識別し、自ＡＴＭ交換機宛でない時は、着側ＡＴＭ交換機に向けて、ルーティングヘッダを付加したＡＴＭセルを中継送出する過程を含むものである。従って、ＶＰＩ／ＶＣＩによるルーティング処理に比較して、少ないビット構成のルーティングヘッダを用いてルーティング処理することにより、中継処理が簡単となる。
【００１１】
又前述のＡＴＭセル中継伝送方法に於けるルーティングヘッダは、自ＡＴＭ交換機に於いて、着側ＡＴＭ交換機に対する出方路にルーティングする為のルーティングビットを含み、中継回線障害時や中継回線輻輳時に迂回の優先順位を設定する迂回情報ビットを含めることができる。又着側ＡＴＭ交換機が自網か他網かを示す網識別ビットは、着側ＡＴＭ交換機が他網であれば、ルーティングヘッダに含め、着側ＡＴＭ交換機が自網であれば、ルーティングヘッダに含めることも、或いは含めないこともできる。
【００１２】
又自網中継情報管理テーブルに、発側の端末に関する情報と着側の端末及び着側ＡＴＭ交換機に関する情報とを登録し、自網内の中継伝送するＡＴＭセルについて、この自網中継情報管理テーブルを参照して、ルーティングビットの書換えを行う過程を含み、ルーティングヘッダに含まれるルーティングビットの書換えを簡単化することができる。
【００１３】
又他網中継情報管理テーブルに、発側の端末に関する情報と他網の着側の端末及び着側ＡＴＭ交換機に関する情報とを登録し、この他網中継情報管理テーブルを参照して、自網と他網との間のＡＴＭセルのルーティングヘッダの書換えを行う過程を含み、異なる網間の規模等が異なる場合のビット構成等に対応して、ルーティングヘッダの付け替えを行うことができる。
【００１４】
【発明の実施の形態】
図１は本発明の実施の形態のＡＴＭ交換機の要部説明図であり、１は端末、２は中継回線、３，６は回線ポート部、４は端末回線のインタフェース部、５は中継用ＡＴＭスイッチ、５ａはＡＴＭスイッチ、７はヘッダ変換部、８はヘッダ変換テーブル、９はＵＰＣ部、１０は障害検出部、１１はルーティングヘッダ着脱部、１２は中継監視部、１３は自網中継情報管理テーブル、１４は他網中継情報管理テーブル、１５はコネクション管理制御部である。
【００１５】
この実施の形態に於いては、従来例のＡＴＭ交換機に対して、ルーティングヘッダ着脱部１１と、中継監視部１２と、自網中継情報管理テーブル１３と、他網中継情報管理テーブル１４とを設け、又ＡＴＭスイッチ５ａと中継用ＡＴＭスイッチ５とに機能を分割した構成の場合を示し、中継専用のＡＴＭ交換機は、ＡＴＭスイッチ５ａを省略した構成とすることができる。又中継用ＡＴＭスイッチ５を介して中継送出するＡＴＭセルには、ルーティングヘッダ着脱部１１により着側ＡＴＭ交換機を示すルーティングヘッダを付加するものである。
【００１６】
又中継監視部１２は、ＡＴＭセルに付加されたルーティングヘッダを抽出してコネクション管理制御部１５に通知する。このコネクション管理制御部１５は、自網中継情報管理テーブル１３又は他網中継情報管理テーブル１４を参照して、ルーティングヘッダ着脱部１１を制御し、中継送出するＡＴＭセルにはルーティングヘッダを付加し、自ＡＴＭ交換機に収容された端末へ送出するＡＴＭセルは、ルーティングヘッダを削除するものである。
【００１７】
図２は本発明の実施の形態のフォーマットの説明図であり、ＡＴＭセルは、周知のように、５バイトのヘッダと４８バイトの情報フィールドとからなり、ヘッダのＧＦＣ（Ｇｅｎｅｒｉｃ  Ｆｌｏｗ  Ｃｏｎｔｒｏｌ；一般的フロー制御）は、ＵＮＩの場合に使用され、ＮＮＩの場合は、ＶＰＩ（Ｖｉｒｔｕａｌ  Ｐａｔｈ  Ｉｄｅｎｔｉｆｉｅｒ  ；仮想パス識別子）となり、従って、ＵＮＩの場合のＶＰＩは８ビット、ＮＮＩの場合のＶＰＩは１２ビットとなる。又ＶＣＩ（Ｖｉｒｔｕａｌ  Ｃｈａｎｎｅｌ    Ｉｄｅｎｔｉｆｉｅｒ  ；仮想チャネル識別子）は１６ビット構成である。
【００１８】
又ＰＴ（Ｐａｙｒｏａｄ  Ｔｙｐｅ  ；ペイロードタイプ）は３ビット、ＣＬＰ（Ｃｅｌｌ  Ｌｏｓｓ  Ｐｒｉｏｒｉｔｙ  ；セル損失優先表示）は１ビット、ＨＥＣ（Ｈｅａｄｅｒ  Ｅｒｒｏｒ
Ｃｏｎｔｒｏｌ；ヘッダ誤り制御）は８ビットの構成である。このような５３バイト構成のＡＴＭセルに対して、着側交換機を示すノードアドレスビットＮＡＢと、自交換機内でルーティングさせる為のルーティングビットＲＢと、迂回対象のＡＴＭセルであるか否かを示す迂回情報ビットＢＢと、自網であるか他網であるかを示す網識別ビットＮＢとを含むルーティングヘッダを、図１に於けるルーティングヘッダ着脱部１１に於いて付加するものである。
【００１９】
図示のルーティングヘッダの場合は、４ビット構成のノードアドレスビットＮＡＢと、４ビット構成のルーティングビットＲＢとを含むものであり、従って、ノードアドレスＮＡＢにより１６台のＡＴＭ交換機を指定することができる。又ルーティングビットＲＢにより１６個の出方路を指定することができる。即ち、ＡＴＭ網の規模に対応して、ノードアドレスビットＮＡＢ及びルーティングビットＲＢのビット構成を選定することができるものであり、予めビット数を多くした構成としておいて、ＡＴＭ網の規模を拡大した時に対応できるようにすることも可能である。又ノードアドレスビットＮＡＢとルーティングビットＲＢとを異なるビット数に選定することも可能である。
【００２０】
又迂回情報ビットＢＢを例えば“１”とした時に迂回対象ＡＴＭセルとし、中継回線の障害発生時や輻輳発生時に、迂回経路が存在する場合に、迂回伝送処理を行うものである。又“０”とした時は迂回対象でないＡＴＭセルとすることができる。又網識別ビットＮＢを例えば“１”とした時に他網を指定し、“０”とした時は自網を示すことができる。なお、自網に接続された他網が複数種類存在する場合は、網識別ビットＮＢを複数ビット構成とすることにより、着側ＡＴＭ交換機を含むＡＴＭ網を指定することができる。又ルーティングヘッダは、１０ビット構成の場合を示すが、バイト単位で処理する場合は、２バイト構成とし、先頭の１バイト中の６ビットは例えばオール“０”とすることができる。
【００２１】
前述の図１のＡＴＭ交換機の自網中継管理テーブル１３は、発側の端末に関する情報と、着側の端末及び着側ＡＴＭ交換機に関する情報を登録するもので、例えば、発側の端末アドレスとＶＰＩ，ＶＣＩとを含む発側の端末に関する情報と、着側の端末アドレスと、着側ＡＴＭ交換機を示すノードアドレスビットＮＡＢと、ルーティングビットＲＢと、網識別ビットＮＢと、迂回情報ビットＢＢとを含む着側の端末に関する情報とを登録することができる。
【００２２】
又中継監視部１２は、ルーティングヘッダのノードアドレスビットＮＡＢと、迂回情報ビットＢＢと、網識別ビットＮＢとを監視し、その結果をコネクション管理制御部１５に通知する。この場合、コネクション管理制御部１５に於いてノードアドレスビットＮＡＢと迂回情報ビットＢＢと網識別ビットＮＢとについて自交換機宛か、又迂回対象ＡＴＭセルか、又自網であるか等の判定処理を行い、その判定結果に応じて、ルーティングヘッダを付加したＡＴＭセルの中継送出又は自ＡＴＭ交換機に収容された端末へＡＴＭセルを送出する制御を行うものである。なお、中継監視部１２に於いて前述の判定処理を行い、その判定結果をコネクション管理制御部１５に通知し、コネクション管理情報制御部１５は、通知された内容に従って各部を制御する構成とすることもできる。
【００２３】
又ルーティングヘッダ着脱部１１は、中継用ＡＴＭスイッチ５によるＡＴＭセルのルーティングの為のルーティングヘッダの付加及び削除を行い、又ルーティングヘッダのノードアドレスビットＮＡＢやルーティングビットＲＢの書換えを行うものである。
【００２４】
又中継用ＡＴＭスイッチ５は、ルーティングヘッダ内のルーティングビットＲＢにより、ＡＴＭセルを回線ポート部３，６へ出力したり、又はＡＴＭスイッチ５ａへ出力したりするものであり、又ＡＴＭスイッチ５ａは、端末１からのインタフェース部４を介して受信したＡＴＭセルのルーティング及び中継用ＡＴＭスイッチ５を介したＡＴＭセルをインタフェース部４から端末１へ出力する為のルーティングを行うものである。
【００２５】
又障害検出部１０は、従来例と同様に、中継回線２の障害や輻輳の検出等を行うものであり、又ヘッダ変換部７は、ヘッダ変換テーブル８を参照して、ＡＴＭセルのヘッダのＶＰＩ／ＶＣＩの変換を行うものである。又ＵＰＣ部９は、呼設定時の帯域を超えないように端末１からのＡＴＭセルの流量を監視するものである。
【００２６】
図３乃至図５は本発明の実施の形態のＡＴＭセル中継伝送の説明図であり、端末Ａ，Ｃを収容したＡＴＭ交換機２０−１と、端末Ｂを収容したＡＴＭ交換機２０−８とを含むＡＴＭ交換機２０−１〜２０−８からなるＡＴＭ網と、端末Ｄを収容したＡＴＭ交換機２０−１２及びＡＴＭ交換機２０−１１等を含むＡＴＭ網とを有する場合を示す。なお、ＡＴＭ交換機２０−３〜２０−６及びＡＴＭ交換機２０−１１の前段のＡＴＭ交換機については図示を省略している。又ＡＴＭ交換機２０−７により自網と他網との間の接続を行う場合を示す。
【００２７】
又各図に於ける３０，４０，５０，６０，７０は中継監視部、２３，２６，３３，３６，４３，４６，４６ａ，５３，５６，６３，６６，７３，７６は回線ポート部、２４，３４，５４，６４，７４はＡＴＭスイッチ、２５，３５，４５，５５，６５，７５は中継用ＡＴＭスイッチ、２７，３７，４７，５７，６７，７７はルーティングヘッダ着脱部、２８，３８，４８，５８，６８，７８は自網中継情報管理テーブル、２９，３９，４９，５９，６９，７９は他網中継情報管理テーブルである。
【００２８】
ＡＴＭ交換機２０−１に収容された端末Ａから、ＡＴＭ交換機２０−８に収容された端末Ｂに送信し、ＡＴＭ交換機２０−１に収容された端末Ｃから他網のＡＴＭ交換機２０−１２に収容された端末Ｄに送信する場合について説明する。端末Ａは、端末Ｂのアドレス、要求帯域、トラヒックタイプ（ＣＢＲ；Ｃｏｎｓｔａｎｔ  Ｂｉｔ  Ｒａｔｅ  ／ＶＢＲ；Ｖａｒｉａｂｌｅ  Ｂｉｔ    Ｒａｔｅ  ）及びサービスクラス（映像／メッセージ型）等を含む接続要求セルを送出する。
【００２９】
ＡＴＭ交換機２０−１は、この端末Ａからの接続要求の内容を、自網中継情報管理テーブル２８に登録し、この接続要求に対応したコネクションをＡＴＭ網に確立できるか否かを確認する。この時、コネクション確立要求を受信した他のＡＴＭ交換機２０−２〜２０−８も、自交換機の自網中継情報管理テーブル３８，４８，５８に、端末Ａの接続要求を登録する。コネクションを確立できる時は、端末Ｂを収容するＡＴＭ交換機２０−８は、ＡＴＭスイッチ５４によりルーティングする為のＶＰＩ／ＶＣＩを発側のＡＴＭ交換機２０−１に通知する。
【００３０】
発側のＡＴＭ交換機２０−１は、着側のＡＴＭ交換機２０−８からの通知を受信すると、自網中継情報管理テーブル２８に、受信したＶＰＩ／ＶＣＩを登録して、端末Ａに通信を許可する。この場合の自網中継情報管理テーブル２８は、例えば、図６の（Ａ）に示す内容となる。即ち、図示のように、発信情報として、端末＝Ａと、その端末アドレス＝“０００１”とに対して、呼番号ＣＡＬＬ  Ｎｏ．＝“１０００１１”と、ＶＰＩ＝“００１”と、ＶＣＩ＝“０１１”とが登録される。
【００３１】
又着信情報として、端末＝Ｂと、その端末アドレス＝“００１１”と、自網内であることを示す網識別ビットＮＢ＝“０”と、ＶＰＩ＝“１００”と、ＶＣＩ＝“１１０”と、着側ＡＴＭ交換機２０−８を示すノードアドレスビットＮＡＢ＝“０１１１”と、ルーティングビットＲＢ＝“０００１”と、迂回情報ビットＢＢ＝“１”とが登録される。なお、ＡＴＭ交換機２０−１に収容された端末Ａ，Ｃ，・・・については、それぞれ端末名と、そのアドレスとが予め自網中継情報管理テーブル２８に設定されており、又ＡＴＭ交換機２０−１〜２０−８のノードアドレスビットＮＡＢは、“００００”〜“０１１１”に設定されている場合を示す。
【００３２】
又ＡＴＭ交換機２０−２の自網中継情報管理テーブル３８は、例えば、図６の（Ｂ）に示す内容となる。即ち、発信情報は、ＡＴＭ交換機２０−１の自網中継情報管理テーブル２８の内容と同一であり、又着信情報のＶＰＩ，ＶＣＩは登録されず、又ノードアドレスビットＮＡＢは前述のノードアドレスビットＮＡＢと同一の“０１１１”であり、又ルーティングビットＲＢは“００１０”となる場合を示している。
【００３３】
又ＡＴＭ交換機２０−８の自網中継情報管理テーブル５８は、例えば、図７の（Ｃ）に示す内容となる。即ち、発信情報及び着信情報は、ルーティングビットＲＢを除いて、ＡＴＭ交換機２０−２の自網中継管理情報テーブル３８の内容と同一となる。この場合のルーティングビットＲＢは“００００”の場合を示している。
【００３４】
端末ＡからＡＴＭセルを送出すると、ＡＴＭ交換機２０−１は、図示を省略したヘッダ変換部により、ＡＴＭスイッチ２４に於いてルーティングする為のＶＰＩ／ＶＣＩに変換する。ＡＴＭスイッチ２４によりルーティングされたＡＴＭセルに対して、ルーティングヘッダ着脱部２７により、自網中継情報管理テーブル２８を参照して、ルーティングヘッダが斜線を施して示すように付加される。即ち、図６の（Ａ）に示す自網中継情報テーブル２８の内容に従って、ルーティングビットＲＢ＝“０００１”、ノードアドレスビットＮＢ＝“０１１１”、網識別ビットＮＢ＝“０”、迂回情報ビットＢＢ＝“１”からなるルーティングヘッダが付加される。
【００３５】
この場合、ルーティングヘッダの“０００１”のルーティングビットＲＢに従って、中継用ＡＴＭスイッチ２５により着側交換機方向の出方路の回線ポート部２６が選択されて、ルーティングヘッダを付加されたＡＴＭセルが中継回線に送出される。
【００３６】
ＡＴＭ交換機２０−２に於いては、中継回線を介して伝送されたＡＴＭセルを回線ポート部３３により受信すると、中継監視部３０は、ルーティングヘッダの網識別ビットＮＢとノードアドレスビットＮＡＢとを読取って、コネクション管理制御部１５（図１参照）に通知する。このコネクション管理制御部１５は、網識別ビットＮＢ＝“０”により着側交換機は自網に属し、又ノードアドレスビットＮＡＢ＝“０１１１”により、ＡＴＭ交換機２０−８が着側交換機であると判断することができる。そして、自網中継情報管理テーブル３８を参照して、ルーティングヘッダ着脱部３７に於いてルーティングビットＲＢを書換える。
【００３７】
この場合のＡＴＭ交換機２０−２の自網中継情報管理テーブル３８の内容は、前述のように図６の（Ｂ）に示す内容であり、着信情報のルーティングビットＲＢは、“００１０”として登録されているから、前述のルーティングヘッダ着脱部３７に於いてルーティングビットＲＢは、この“００１０”に書換えられて、中継用ＡＴＭスイッチ３５に入力される。
【００３８】
従って、中継用ＡＴＭスイッチ３５により端末Ａから端末ＢへのＡＴＭセルのルーティングが行われ、回線ポート部３６から中継回線に送出される。以下同様にして、各ＡＴＭ交換機に於いてルーティングヘッダのノードアドレスビットＮＡＢを抽出して着側ＡＴＭ交換機を識別し、そのノードアドレスビットＮＡＢを含むルーティングヘッダを付加したＡＴＭセルを中継送出する。
【００３９】
又ＡＴＭ交換機２０−７（図４参照）に於いても、前述の中継経路のＡＴＭ交換機と同様に動作し、自交換機内のルーティングビットを書換えて、中継用ＡＴＭスイッチ４５によるルーティングによって、回線ポート部４６からルーティングヘッダが付加されたＡＴＭセルを中継回線に送出する。
【００４０】
又端末Ｂを収容したＡＴＭ交換機２０−８に於いては、回線ポート部５３を介してルーティングヘッダが付加されたＡＴＭセルを受信すると、中継監視部５０は前述の各ＡＴＭ交換機と同様に、ルーティングヘッダのノードアドレスビットＮＡＢ＝“０１１１”を読取り、コネクション管理制御部１５（図１参照）は、自交換機２０−８のアドレス“０１１１”と判断し、ルーティングヘッダ着脱部５７に於いて、自網中継情報管理テーブル５８の内容（図７参照）を基に、ルーティングビットＲＢを“００００”に書換えて、中継用ＡＴＭスイッチ５５に入力させる。
【００４１】
この中継用ＡＴＭスイッチ５５によるルーティングの後、ルーティングヘッダ着脱部５７によりルーティングヘッダが削除され、ＡＴＭスイッチ５４に入力される。このＡＴＭスイッチ５４に於いては、ＡＴＭセルのヘッダのＶＰＩ／ＶＣＩを基にルーティングされ、端末ＢへＡＴＭセルが送信される。
【００４２】
この場合、端末Ａから端末ＢへのＡＴＭセルを中継するＡＴＭ交換機２０−２〜２０−７は、４ビット構成のノードアドレスビットＮＡＢを基に、自交換機か否かを判断し、自交換機でない場合は、そのノードアドレスビットＮＡＢを含むルーティングヘッダを付加したＡＴＭセルを中継回線に送出するものであり、ＮＮＩのＶＰＩ／ＶＣＩの合計２８ビットを処理する場合に比較して、４ビットのノードアドレスビットＮＡＢを処理することにより、ルーティングすることができるから、中継交換機としての処理負担が非常に軽くなり、それによって処理遅延を短縮することができる。
【００４３】
又ＡＴＭ交換機２０−１に収容された端末Ｃから、他網のＡＴＭ交換機２０−１２に収容された端末ＤにＡＴＭセルを送信する場合、端末Ｃからの接続要求により、ＡＴＭ交換機２０−１は、網管理情報等によって着側の端末Ｄが他網に収容されていることを識別し、自網中継情報管理テーブル２８と他網中継情報管理テーブル２９とに、接続要求についての情報を登録し、自網内と他網内とにコネクションを確立できるか否かを確認する。この時、コネクション確立要求を受信した他のＡＴＭ交換機も、自網中継情報管理テーブル及び他網中継情報管理テーブルに、端末Ｃの接続要求を登録する。
【００４４】
この場合のＡＴＭ交換機２０−１の自網中継情報管理テーブル２８は、例えば、図８の（Ａ）に示すものとなる。即ち、発信情報として、端末＝Ｃと、端末アドレス＝“００１１”と、呼番号ＣＡＬＬ  Ｎｏ．＝“１０００１１”と、ＶＰＩ＝“１００”と、ＶＣＩ＝“１１０”とが登録され、又着信情報として、網識別ビット＝“１”により他網接続であることが登録され、又ノードアドレスビットＮＡＢ＝“０１１０”と、ルーティングビットＲＢ＝“０００１”と、迂回情報ビットＢＢ＝“１”とが登録された場合を示す。この場合のノードアドレスビットＮＡＢは、他網と接続するＡＴＭ交換機２０−７のノードアドレスを示すものとなる。
【００４５】
又ＡＴＭ交換機２０−１の他網中継情報管理テーブル２９は、例えば、図８の（Ｂ）に示す内容となる。即ち、発信情報として、端末＝Ｃと、端末アドレス＝“００１１”とが登録され、着信情報として、端末＝Ｄと、端末アドレス＝“１１００”と、ＶＰＩ＝“１１０”と、ＶＣＩ＝“１００”と、着側のＡＴＭ交換機２０−１２を示すノードアドレスビットＮＡＢ＝“０１００１”と、迂回情報ビットＢＢ““１”とが登録された場合を示す。
【００４６】
又ＡＴＭ交換機２０−２の自網中継情報管理テーブル３８は、例えば、図９の（Ｃ）に示す内容となる。即ち、発信情報は、ＡＴＭ交換機２０−１の自網中継情報管理テーブル２８の発信情報と同様に、端末＝Ｃと、端末アドレス＝“００１１”と、呼番号ＣＡＬＬ  Ｎｏ．＝“１０００１１”と、ＶＰＩ＝“１００”と、ＶＣＩ＝“１１０”とが登録され、又着信情報として、網識別ビットＮＢ＝“１”と、ルーティングビットＲＢ＝“００１０”と、迂回情報ビットＢＢ＝“１”とが登録される。
【００４７】
又ＡＴＭ交換機２０−７の自網中継情報管理テーブル４８は、例えば、図９の（Ｄ）に示す内容となる。即ち、発信情報は、ＡＴＭ交換機２０−２の自網中継情報管理テーブル３８の発信情報と同一の端末＝Ｃと、端末アドレス＝“００１１”と、呼番号ＣＡＬＬ  Ｎｏ．＝“１０００１１”と、ＶＰＩ＝“１００”と、ＶＣＩ＝“１１０”とが登録され、又着信情報として、網識別ビットＮＢ＝“１”と、ノードアドレスビットＮＡＢ＝“０１１０”と、ルーティングビットＲＢ＝“００００”と、迂回情報ビットＢＢ＝“１”とが登録される。
【００４８】
又ＡＴＭ交換機２０−７の他網中継情報管理テーブル４９は、例えば、図１０の（Ｅ）に示す内容となる。即ち、発信情報は、端末＝Ｃと、端末アドレス＝“００１１”とが登録され、着信情報として、端末＝Ｄと、端末アドレス＝“１１００”と、ＡＴＭ交換機２０−１２を指定するノードアドレスビットＮＡＢ＝“０１００１”と、ルーティングビットＲＢ＝“００００”と、迂回情報ビットＢＢ＝“１”とが登録される。
【００４９】
又端末Ｄを収容したＡＴＭ交換機２０−１２の自網中継情報管理テーブル７８は、例えば、図１０の（Ｆ）に示す内容となる。即ち、発信情報として、端末＝Ｃと、端末アドレス＝“００１１”と、呼番号ＣＡＬＬ  Ｎｏ．＝“１０００１１”とが登録され、着信情報として、端末＝Ｄと、端末アドレス＝“１１００”と、網識別ビットＮＢ＝“１”と、ＶＰＩ＝“１１０”と、ＶＣＩ＝“１００”と、自ＡＴＭ交換機２０−１２を示すノードアドレスビットＮＡＢ＝“０１００１”と、ルーティングビットＲＢ＝“０００００”と、迂回情報ビットＢＢ＝“１”とが登録される。
【００５０】
前述の端末Ｃが端末Ｄに対する接続要求により、コネクションが確立できる時は、端末Ｄを収容したＡＴＭ交換機２０−１２は、端末ＣからのＡＴＭセルをルーティングする為のＶＰＩ／ＶＣＩを、端末Ｃを収容したＡＴＭ交換機２０−１に通知する。ＡＴＭ交換機２０−１は、他網中継情報管理テーブル２９に、そのＶＰＩ／ＶＣＩを登録する。即ち、図８の（Ｂ）の着信情報のＶＰＩ＝“１１０”とＶＣＩ＝“１００”とＡＴＭ交換機２０−１２を示すノードアドレスビットＮＡＢ＝“０１００１”とを登録する。
【００５１】
そして、ＡＴＭ交換機２０−１は端末Ｃに対して通信を許可する。それにより、端末ＣはＡＴＭセルの送信を開始する。ＡＴＭ交換機２０−１は、端末ＣからのＡＴＭセルのヘッダのＶＰＩ／ＶＣＩを識別して、図示を省略したヘッダ変換部により、ＶＰＩ／ＶＣＩを変換してＡＴＭスイッチ２４に入力し、このＡＴＭスイッチ２４によりルーティングされたＡＴＭセルに対してルーティングヘッダ着脱部２７によりルーティングヘッダを付加する。
【００５２】
この場合、ルーティングヘッダ着脱部２７は、自網中継情報管理テーブル２８及び他網中継情報管理テーブル２９を参照し、図２に示すフォーマットのルーティングヘッダをＡＴＭセルに付加する。この場合、ノードアドレスビットＮＡＢ＝“０１１０”、ルーティングビットＲＢ＝“０００１”、網識別ビットＮＢ＝“１”、迂回情報ビットＢＢ＝“１”とを含むルーティングヘッダとなる。このルーティングヘッダを付加されたＡＴＭセルは、中継用ＡＴＭスイッチ２５によりルーティングされ、回線ポート２６から中継回線に送出される。
【００５３】
ＡＴＭ交換機２０−２に於いては、中継回線を介して伝送されたＡＴＭセルを回線ポート部３３により受信し、中継監視部３０により、ルーティングヘッダの網識別ビットＮＢとノードアドレスビットＮＡＢとを読取り、図示を省略したコネクション管理制御部は、ＮＢ＝“１”により他網への通信であるが、ＮＡＢ＝“０１１０”により、自網のＡＴＭ交換機２０−７に対してＡＴＭセルを中継送出するものと判断し、自網中継情報管理テーブル３８（図９の（Ｃ）参照）の内容に基づいて、ルーティングヘッダ着脱部３７を制御し、ルーティングビットＲＢ＝“００１０”に書換える。
【００５４】
このルーティングビットＲＢ＝“００１０”に従って中継用ＡＴＭスイッチ３５によりルーティングされ、回線ポート部３６から中継回線に送出される。他のＡＴＭ交換機２０−３〜２０−６（図示を省略）に於いても同様に動作する。又ＡＴＭ交換機２０−７に於いては、中継監視部４０によりルーティングヘッダのノードアドレスビットＮＡＢと網識別ビットＮＢとを読取り、図示を省略したコネクション管理制御部は、そのノードアドレスビットＮＡＢ＝“０１１０”により自交換機を示すものと判断し、且つ網識別ビットＮＢ＝“１”により他網接続であると判断する。
【００５５】
そして、ルーティングヘッダ着脱部４７は、自網中継情報管理テーブル４８（図９の（Ｄ）参照）の内容を基に、ルーティングビットＲＢを“００００”に書換える。それによって、中継用ＡＴＭスイッチ４５は、回線ポート部４６ａ側にＡＴＭセルをルーティングし、そのＡＴＭセルに対して、ルーティングヘッダ着脱部４７は、自網のルーティングヘッダを削除し、且つ他網中継情報管理テーブル４９（図１０の（Ｅ）参照）の内容に基づいて、他網向けのルーティングヘッダを形成して付加する。この場合のルーティングヘッダは、ノードアドレスビットＮＡＢ＝“０１００１”、ルーティングビットＲＢ＝“０００００”、網識別ビットＮＢ＝“１”、迂回識別ビットＢＢ＝“１”となる。
【００５６】
このような他網のルーティングヘッダを付加したＡＴＭセルは、回線ポート部４６ａから中継回線に送出される。そして、中継回線を介して他網のＡＴＭ交換機に伝送される。例えば、他網のＡＴＭ交換機２０−１１（図５参照）に伝送されると、前述のＡＴＭセルを中継送出したＡＴＭ交換機と同様に動作して、ノードアドレスビットＮＡＢ＝“０１００１”により、ＡＴＭ交換機２０−１２に対して送出するＡＴＭセルであることを識別して、ルーティングヘッダ着脱部６７により、中継用ＡＴＭスイッチ６５に於けるルーティングの為のルーティングビットＲＢの書換えを行い、回線ポート部６６から中継回線にルーティングヘッダが付加されたＡＴＭセルを送出する。
【００５７】
又ＡＴＭ交換機２０−１２に於いては、回線ポート部７３により受信したＡＴＭセルについて、中継監視部７０は、ルーティングヘッダのノードアドレスビットＮＡＢと網識別ビットＮＢとを読取り、コネクション管理制御部（図示を省略）は、ＮＢ＝“１”により他網からのＡＴＭセル又は他網へ送出するＡＴＭセルであることを識別し、又ノードアドレスビットＮＡＢ＝“０１００１”により自交換機宛であることを識別し、自網中継情報管理テーブル７８（図１０の（Ｆ）参照）の内容を基に、ルーティングヘッダ着脱部７７は、ルーティングビットＲＢを“０００００”に書換える。
【００５８】
それにより、中継用ＡＴＭスイッチ７５は、ＡＴＭセルをＡＴＭスイッチ７４側にルーティングし、そのＡＴＭセルに対して、ルーティングヘッダ着脱部７７は、ルーティングヘッダを削除して、ＡＴＭスイッチ７４に入力する。ＡＴＭスイッチ７４は、ＡＴＭセルのＶＰＩ／ＶＣＩに従ってルーティングすることにより、ＡＴＭセルは端末Ｄへ送信される。従って、ＡＴＭ交換機２０−１に収容された端末ＣからＡＴＭ交換機２０−１２に収容された端末Ｄへ、ＡＴＭセルが伝送されたことになる。
【００５９】
又前述の場合、ノードアドレスビットＮＡＢとルーティングビットＲＢとのビット数を、網毎に異なる場合を示し、従って、網間接続するＡＴＭ交換機２０−７に於いては、自網のルーティングヘッダを削除して、他網のルーティングヘッダを付加することになる。又他網からのＡＴＭセルに付加されたルーティングヘッダを削除して、自網のルーティングヘッダを付加し、自網内に中継送出することができる。
【００６０】
又迂回情報ビットＢＢが“０”の場合は、端末間で通信を行っている時に、そのコネクションに障害が発生しても、ＡＴＭセルの迂回伝送処理を行わないものであるが、ＢＢ＝“１”の場合は、迂回経路が存在するならば、そのＡＴＭセルの重要度が高いことを示すから、迂回伝送処理を行うものである。
【００６１】
本発明は、前述の各実施の形態に限定されることなく、種々付加変更することができるものであり、例えば、中継回線は光伝送路により構成することもできる。又ＡＴＭセルのフロー制御としては、前述のＣＢＲ，ＶＢＲ以外のＡＢＲによる方式等を適用することができる。
【００６２】
【発明の効果】
以上説明したように、本発明のＡＴＭ交換機及びＡＴＭセル中継伝送方法は、ＡＴＭセルを中継送出するＡＴＭ交換機に於いて、ルーティングヘッダ着脱部１１により着側ＡＴＭ交換機を示すノードアドレスビットを含むルーティングヘッダを付加して送出し、このノードアドレスビットにより自ＡＴＭ交換機宛か否かを判定するものであるから、ＡＴＭセルのヘッダのＶＰＩ／ＶＣＩを基にルーティングを行う従来例に比較して、中継処理を簡単化することができる。例えば、ノードアドレスビットＮＡＢを８ビット構成とすれば、２５６ＡＴＭ交換機を含むＡＴＭ網に於ける着側ＡＴＭ交換機を指定することができ、又ルーティングビットＲＢを８ビット構成とすれば、２５６ポートに対するルーティングが可能となり、この場合、少なくとも４台以上のＡＴＭ交換機を含むＡＴＭ網で、又４ポート以上の出方路を含む場合であれば、従来例のＶＰＩ／ＶＣＩを用いる中継処理に比較して、処理負担を軽減できる効果がある。
【図面の簡単な説明】
【図１】本発明の実施の形態のＡＴＭ交換機の要部説明図である。
【図２】本発明の実施の形態のフォーマットの説明図である。
【図３】本発明の実施の形態のＡＴＭセル中継伝送の説明図である。
【図４】本発明の実施の形態のＡＴＭセル中継伝送の説明図である。
【図５】本発明の実施の形態のＡＴＭセル中継伝送の説明図である。
【図６】本発明の実施の形態の自網中継情報管理テーブルの説明図である。
【図７】本発明の実施の形態の自網中継情報管理テーブルの説明図である。
【図８】本発明の実施の形態の他網接続時のテーブル内容説明図である。
【図９】本発明の実施の形態の他網接続時のテーブル内容説明図である。
【図１０】本発明の実施の形態の他網接続時のテーブル内容説明図である。
【図１１】ＡＴＭ網の説明図である。
【図１２】従来例のＡＴＭ交換機の要部説明図である。
【符号の説明】
１  端末
２  中継回線
３，６  回線ポート部
４  インタフェース部
５  中継用ＡＴＭスイッチ
５ａ  ＡＴＭスイッチ
７  ヘッダ変換部
８  ヘッダ変換テーブル
９  ＵＰＣ部
１０  障害検出部
１１  ルーティングヘッダ着脱部
１２  中継監視部
１３  自網中継情報管理テーブル
１４  他網中継情報管理テーブル
１５  コネクション管理制御部
【図１】
0003593640.tif 000002
【図２】
0003593640.tif 000003
【図３】
0003593640.tif 000004
【図４】
0003593640.tif 000005
【図５】
0003593640.tif 000006
【図６】
0003593640.tif 000007
【図７】
0003593640.tif 000008
【図８】
0003593640.tif 000009
【図９】
0003593640.tif 000010
【図１０】
0003593640.tif 000011
【図１１】
0003593640.tif 000012
【図１２】
0003593640.tif 000013